(57)【要約】【課題】冷却のためのコストを低減する。【解決手段】マルチ画面表示装置１０００は、映像表示装置１００−１，１００−２，１００−３，１００−４を含む。冷却装置３００は、映像表示装置１００−１，１００−２，１００−３，１００−４の各々が備える半導体光源２０ａ，２０ｂ，２０ｃに熱的に接続される。【選択図】図３
2013167774.tif 000002
【特許請求の範囲】
【請求項１】
１台以上の冷却装置を利用するマルチ画面表示装置であって、
前記マルチ画面表示装置は、画面を有する複数の映像表示装置を含み、
前記複数の映像表示装置が、それぞれ有する複数の前記画面からマルチ画面が構成され、
各前記映像表示装置は、
前記マルチ画面に映像を表示するための光を出射する半導体光源を備え、
前記１台以上の冷却装置のうちの１台の冷却装置は、前記複数の映像表示装置が、それぞれ備える複数の前記半導体光源に熱的に接続され、かつ、前記複数の半導体光源を冷却する
マルチ画面表示装置。
【請求項２】
各前記映像表示装置は、さらに、
前記半導体光源が出射する光の強度を変調するライトバルブを備え、
前記１台の冷却装置は、さらに、前記複数の映像表示装置が、それぞれ備える複数の前記ライトバルブに熱的に接続され、かつ、前記複数のライトバルブを冷却する
請求項１に記載のマルチ画面表示装置。
【請求項３】
前記マルチ画面表示装置は、複数の前記冷却装置を利用し、
各前記冷却装置は、前記複数の半導体光源に熱的に接続され、かつ、前記複数の半導体光源を冷却する
請求項１または２に記載のマルチ画面表示装置。
【発明の詳細な説明】
【技術分野】
【０００１】
本発明は、複数の画面から構成されるマルチ画面に映像を表示するマルチ画面表示装置に関する。
【背景技術】
【０００２】
従来、マルチ画面表示装置を構成する複数の投射型映像表示装置の各々の光源には、放電ランプが広く使用されていた。近年、ＬＥＤ（Light Emitting Diode）（発光ダイオード）の技術進歩により、ＬＥＤの発光輝度が上昇し、ＬＥＤが投射型映像表示装置の光源としての使用に耐えうるようになった。以下においては、投射型映像表示装置を、単に、映像表示装置ともいう。
【０００３】
ＬＥＤの発光輝度は、ジャンクション温度の影響を受ける。そのため、光源としてのＬＥＤを適切に冷却することが必要である。ＬＥＤの冷却方法は、ヒートシンクとファンを用いる強制空冷方式や、冷却液体を強制的に循環させる液体冷却方式がある（特許文献１，２参照）。
【０００４】
強制空冷方式または液体冷却方式では、各映像表示装置内でファンを用いた冷却を行う。そのため、複数の映像表示装置から構成されるマルチ画面表示装置においても、各映像表示装置において、冷却が行われる。
【先行技術文献】
【特許文献】
【０００５】
【特許文献１】特開２００８−１９２５７９号公報
【特許文献２】特許第４６５４６６４号公報
【発明の概要】
【発明が解決しようとする課題】
【０００６】
しかしながら、マルチ画面表示装置を冷却するために、従来の強制空冷方式または液体冷却方式等を適用した場合、以下の問題がある。
【０００７】
複数の映像表示装置から構成される従来のマルチ画面表示装置は、映像表示装置の数だけ、冷却機構を有する必要がある。例えば、４台の映像表示装置から構成される従来のマルチ画面表示装置は、４つの冷却機構を必要とする。そのため、マルチ画面表示装置の冷却のためのコストを十分に抑えることができないという問題がある。
【０００８】
本発明は、このような問題を解決するためになされたものであり、冷却のためのコストを低減したマルチ画面表示装置を提供することを目的とする。
【課題を解決するための手段】
【０００９】
上記目的を達成するために、本発明の一態様に係るマルチ画面表示装置は、１台以上の冷却装置を利用する。前記マルチ画面表示装置は、画面を有する複数の映像表示装置を含み、前記複数の映像表示装置が、それぞれ有する複数の前記画面からマルチ画面が構成され、各前記映像表示装置は、前記マルチ画面に映像を表示するための光を出射する半導体光源を備え、前記１台以上の冷却装置のうちの１台の冷却装置は、前記複数の映像表示装置が、それぞれ備える複数の前記半導体光源に熱的に接続され、かつ、前記複数の半導体光源を冷却する。
【発明の効果】
【００１０】
本発明によれば、マルチ画面表示装置は、複数の映像表示装置を含む。冷却装置は、複数の映像表示装置が、それぞれ備える複数の半導体光源に熱的に接続される。これにより、映像表示装置の数だけ冷却装置を設ける必要がない。
【００１１】
これにより、マルチ画面表示装置の冷却のためのコストを低減することができる。
【図面の簡単な説明】
【００１２】
【図１】実施の形態１に係るマルチ画面表示装置の構成を示す図である。
【図２】マルチ画面の構成を説明するための図である。
【図３】マルチ画面表示装置に冷却装置が取り付けられた状態を模式的に示す図である。
【図４】実施の形態１に係る映像表示装置の構成を示すブロック図である。
【図５】実施の形態１に係る映像表示装置の一部の構造を示す断面図である。
【図６】冷却装置の内部構成を示す図である。
【図７】実施の形態１の変形例１に係るマルチ画面表示装置１０００Ａの構成を示す図である。
【図８】マルチ画面表示装置に冷却装置が取り付けられた状態を模式的に示す図である。
【図９】実施の形態１の変形例１に係る映像表示装置の構成を示す図である。
【図１０】マルチ画面表示装置に複数の冷却装置が取り付けられた状態を模式的に示す図である。
【発明を実施するための形態】
【００１３】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１４】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１５】
（実施の形態１）
図１は、実施の形態１に係るマルチ画面表示装置１０００の構成を示す図である。
【００１６】
図１に示すように、マルチ画面表示装置１０００は、映像表示装置１００−１，１００−２，１００−３，１００−４を含む。映像表示装置１００−１，１００−２，１００−３，１００−４の各々は、詳細は後述するが、同一の構成を有する。以下においては、映像表示装置１００−１，１００−２，１００−３，１００−４の各々を、単に、映像表示装置１００とも表記する。
【００１７】
各映像表示装置１００の外部形状は、直方体である。マルチ画面表示装置１０００は、４つの映像表示装置１００を２段２列に配列して構成される。
【００１８】
映像表示装置１００−１，１００−２，１００−３，１００−４は、それぞれ、図２に示される画面（スクリーン）１０−１，１０−２，１０−３，１０−４を含む。
【００１９】
マルチ画面表示装置１０００は、マルチ画面１０Ａを含む。図２に示すように、マルチ画面１０Ａは、行列状に配列された画面１０−１，１０−２，１０−３，１０−４から構成される１つの画面である。以下においては、画面１０−１，１０−２，１０−３，１０−４の各々を、単に、画面１０とも表記する。以上により、マルチ画面表示装置１０００は、複数の映像表示装置１００にそれぞれ対応する複数の画面１０から構成されるマルチ画面１０Ａを含む。
【００２０】
なお、マルチ画面１０Ａを構成する画面の数は、４に限定されず、２、３または５以上であってもよい。すなわち、マルチ画面表示装置１０００を構成する映像表示装置１００の数は、４に限定されず、２、３または５以上であってもよい。
【００２１】
図３は、マルチ画面表示装置１０００に冷却装置３００が取り付けられた状態を模式的に示す図である。マルチ画面表示装置１０００は、１台以上の冷却装置３００を利用して、マルチ画面表示装置１０００の冷却を行う。
【００２２】
詳細は後述するが、冷却装置３００は、冷却液体により、マルチ画面表示装置１０００を冷却するための装置である。冷却液体とは、マルチ画面表示装置１０００を冷却するために使用される液体である。冷却装置３００は、当該冷却装置３００自身に熱的に接続された要素を冷却する。
【００２３】
冷却装置３００は、マルチ画面表示装置１０００の外部に設けられる。すなわち、マルチ画面表示装置１０００は、冷却装置３００を含まない。なお、冷却装置３００は、マルチ画面表示装置１０００の内部に設けられてもよい。
【００２４】
図３に示されるように、映像表示装置１００−１，１００−２，１００−３，１００−４は、それぞれ、投写部１１−１，１１−２，１１−３，１１−４を備える。以下においては、投写部１１−１，１１−２，１１−３，１１−４の各々を、単に、投写部１１とも表記する。投写部１１は、映像を投射する。
【００２５】
まず、各映像表示装置１００の構成について説明する。
【００２６】
図４は、実施の形態１に係る映像表示装置１００の構成を示すブロック図である。
【００２７】
図４に示すように、各映像表示装置１００は、制御部１と、光源装置２と、ライトバルブ３と、投写レンズ４と、信号処理部６と、画像入力部７と、画面１０とを備える。
【００２８】
制御部１は、映像表示装置１００内の各部（例えば、光源装置２）を制御する。
【００２９】
光源装置２は、図示しないＬＥＤを含む。光源装置２は、ＬＥＤを利用して光を出射する。具体的には、光源装置２は、マルチ画面１０Ａに映像を表示するための光を出射する。光源装置２からの光は、ライトバルブ３に照射される。
【００３０】
画像入力部７は、外部からの映像信号を受信し、当該映像信号を、信号処理部６へ送信する。信号処理部６は、受信した映像信号が示す画像に対し、画像の拡大縮小などの信号（画像）処理を行う。次に、信号処理部６は、信号処理された映像信号を、ライトバルブ３が処理可能なドライブ信号に変換する。そして、信号処理部６は、当該ドライブ信号を、ライトバルブ３へ送信する。
【００３１】
ライトバルブ３は、光源装置２（後述の半導体光源）が出射する光の強度を変調する。具体的にはライトバルブ３は、受信するドライブ信号に従って、光源装置２から照射された光を強度変調し、変調後の光を、投写レンズ４を介して、画面１０へ照射する。これにより、画面１０に映像が投影（表示）される。
【００３２】
マルチ画面表示装置１０００は、各映像表示装置１００が画面１０に映像を表示することにより、マルチ画面１０Ａに映像を表示する。
【００３３】
図５は、実施の形態１に係る映像表示装置１００の一部の構造を示す断面図である。図５では、図の簡略化のため、画面１０の水平方向のサイズは、投写部１１の水平方向のサイズより小さく示される。しかしながら、実際には、画面１０の水平方向のサイズは、投写部１１の水平方向のサイズより大きい。
【００３４】
図５に示されるように、各映像表示装置１００の投写部１１は、前述の光源装置２と、前述のライトバルブ３と、前述の投写レンズ４とを含む。
【００３５】
光源装置２は、半導体光源２０ａ，２０ｂ，２０ｃと、ハウジング５０とを含む。なお、投写部１１は、光源装置２（半導体光源２０ａ，２０ｂ，２０ｃ等）を冷却するための冷却用ファンを有さない。
【００３６】
半導体光源２０ａ，２０ｂ，２０ｃの各々は、ＬＥＤである。半導体光源２０ａ，２０ｂ，２０ｃは、ハウジング５０に取り付けられる。以下においては、半導体光源２０ａ，２０ｂ，２０ｃの各々を、単に、半導体光源２０ともいう。各半導体光源２０は、マルチ画面１０Ａに映像を表示するための光を出射する。
【００３７】
なお、半導体光源２０ａ，２０ｂ，２０ｃの各々は、ＬＥＤに限定されず、光を出射する他の素子から構成されてもよい。また、光源装置２が含む半導体光源２０の数は３に限定されない。光源装置２が含む半導体光源２０の数は、１、２または４以上であってもよい。
【００３８】
半導体光源２０ａには、図示しない熱伝導体を介して、熱交換ジャケット３０ａが取り付けられている。熱伝導体は、例えば、熱伝導グリスである。熱伝導体は、接触熱抵抗を低減するものである。半導体光源２０ａは、熱伝導体を介して、熱交換ジャケット３０ａと熱的に結合している。
【００３９】
半導体光源２０ｂには、図示しない熱伝導体を介して、熱交換ジャケット３０ｂが取り付けられている。半導体光源２０ｂは、半導体光源２０ａと同様に、熱伝導体を介して、熱交換ジャケット３０ｂと熱的に結合している。
【００４０】
半導体光源２０ｃには、図示しない熱伝導体を介して、熱交換ジャケット３０ｃが取り付けられている。半導体光源２０ｃは、半導体光源２０ａと同様に、熱伝導体を介して、熱交換ジャケット３０ｃと熱的に結合している。
【００４１】
次に、マルチ画面表示装置１０００における冷却構造について説明する。
【００４２】
再び、図３を参照して、投写部１１−１，１１−２，１１−３，１１−４の各々は、管１２および分岐管１３により、冷却装置３００と接続される。
【００４３】
管１２は、冷却液体を流動させるための流動管である。分岐管１３は、１つの管１２からの冷却液体を、２つの管１２へ送るためのものである。
【００４４】
例えば、投写部１１−１の一方は、２つの分岐管１３を介して、管１２により、冷却装置３００と接続される。投写部１１−１の他方は、２つの分岐管１３を介して、管１２により、冷却装置３００と接続される。投写部１１−２，１１−３，１１−４の各々も、投写部１１−１と同様に、冷却装置３００と接続される。
【００４５】
詳細は後述するが、冷却装置３００は、管１２を利用して、冷却液体を、各映像表示装置１００へ送る。そして、管１２を介して、各映像表示装置１００から戻ってきた、温度上昇した冷却液体を冷やして、当該冷却液体を、再度、各映像表示装置１００へ送る。
【００４６】
次に、管１２と投写部１１との接続構造を説明する。
【００４７】
再び、図５を参照して、各映像表示装置１００の光源装置２内の熱交換ジャケット３０ａ，ｂ，ｃの各々には、管１２が接続される。なお、図５では、管１２が切断されているように示されるが、実際には、熱交換ジャケット３０ａ，ｂ，ｃの各々の内部に、１本の管１２が熱的に接続される。以下においては、熱交換ジャケット３０ａ，ｂ，ｃの各々を、単に、熱交換ジャケット３０とも表記する。
【００４８】
以上の構成により、１台の冷却装置３００は、複数の映像表示装置１００が、それぞれ備える複数の半導体光源２０（投写部１１内の光源装置２）に熱的に接続され、かつ、複数の半導体光源２０（光源装置２）を冷却する。
【００４９】
次に、冷却装置３００について説明する。
【００５０】
図６は、冷却装置３００の内部構成を示す図である。
【００５１】
冷却装置３００は、循環ポンプ３０１と、放熱器３０２と、冷却ファン３０３とを含む。循環ポンプ３０１は、管１２を利用して、冷却液体を送り出す。放熱器３０２の内部には、管１２が貫通する。管１２は、放熱器３０２と熱的に接続される。冷却ファン３０３は、放熱器３０２を強制空冷する。
【００５２】
次に、冷却液体を利用した冷却について説明する。図３に示すように、冷却装置３００の循環ポンプ３０１は、管１２および分岐管１３を利用して冷却液体を、各映像表示装置１００の投写部１１へ送る。すなわち、冷却装置３００から送出された冷却液体は、分岐管１３により分配され、各映像表示装置１００の投写部１１へ送られる。冷却液体は、各投写部１１の各半導体光源２０と熱交換を行うことにより温度が上昇し、再び、管１２を通り冷却装置３００に戻る。
【００５３】
各映像表示装置１００から戻ってきた、温度上昇した冷却液体は、放熱器３０２の内部を通ることにより、温度が下げられる（冷却される）。
【００５４】
循環ポンプ３０１は、放熱器３０２により冷やされた冷却液体を、再び、各映像表示装置１００の投写部１１へと送り出す。以上により、冷却液体は、各映像表示装置１００内を循環する。
【００５５】
ここで、分岐管１３は、管１２との接続解除時に冷却液体が漏れない構造を有する。これにより、映像表示装置１００のメンテナンス等において、マルチ画面表示装置１０００から一台の映像表示装置１００だけ取り出す場合にも対応することが可能となる。
【００５６】
なお、本実施の形態では、冷却装置３００から各映像表示装置１００との間で、冷却液体に対し２段階の分岐を行う構成としている。すなわち、冷却装置３００から各映像表示装置１００との間に、２つの分岐管１３が設けられる。しかしながら、この構成に限定されず、冷却液体に対し１段階の分岐をする構成でもよい。
【００５７】
光源装置２における熱交換は、以下のように行われる。図５のように、冷却液体は、管１２を利用して、投写部１１の外部から投写部１１の内部に引き込まれる。そして、熱交換ジャケット３０ａ，ｂ，ｃにて、熱交換を行った後、再び、管１２により、投写部１１の外部へと導かれる。
【００５８】
ここで、ＬＥＤにおける温度の影響の受けやすさと発熱量を考慮して、半導体光源２０ａ，２０ｂ，２０ｃは以下のように設定される。
【００５９】
まず、半導体光源２０ａは、赤色光を発するＬＥＤとされる。また、半導体光源２０ｂは、青色光を発するＬＥＤとされる。また、半導体光源２０ｃは、緑色光を発するＬＥＤとされる。この場合、管１２により、熱交換ジャケット３０ａ，ｂ，ｃの順に、冷却液体が、熱交換ジャケット３０ａ，ｂ，ｃの内部を通る。これにより、各熱交換ジャケット３０に対応する半導体光源２０と熱交換が行われ、半導体光源２０（光源装置２）の冷却が行われる。
【００６０】
以上説明したように、本実施の形態によれば、１台の冷却装置３００は、複数の映像表示装置１００が、それぞれ備える複数の半導体光源２０（投写部１１内の光源装置２）に熱的に接続され、かつ、複数の半導体光源２０（光源装置２）を冷却する。これにより、映像表示装置１００の数だけ冷却装置３００を設ける必要がない。そのため、マルチ画面表示装置１０００の冷却のためのコストを低減することができる。
【００６１】
また、複数の映像表示装置１００の半導体光源２０（光源装置２）の冷却をまとめて行うことにより、各映像表示装置１００間での温度ばらつきが軽減され半導体光源の温度制御も容易になる。
【００６２】
従来のマルチ画面表示装置（以下、マルチ画面表示装置Ｊともいう）は、映像表示装置の数だけ、冷却機構を有する必要がある。なお、半導体光源の冷却に液体冷却を適用する場合、半導体光源の寿命に対し冷却の肝であるポンプの寿命が追い付いておらず、半導体光源が寿命に達する前にポンプが故障してしまう。
【００６３】
そのため、マルチ画面表示装置Ｊを構成する各映像表示装置が冷却機構を有する場合、ポンプが故障する確率は、マルチ画面表示装置Ｊを構成する映像表示装置の数が多い程、高くなる。
【００６４】
また、マルチ画面表示装置Ｊは冷却液体の冷却ために、各映像表示装置がファンを有している。そのため、マルチ画面表示装置Ｊの動作時にはすべての映像表示装置のファンが稼動する。そのため、マルチ画面表示装置Ｊでは、多くの電力を消費するとともに、大きな騒音を発生することとなる。
【００６５】
そこで、本実施の形態に係るマルチ画面表示装置１０００は、複数の映像表示装置１００の各々の各半導体光源２０（光源装置２）の冷却を、１台の冷却装置３００で行う構成とする。すなわち、複数の映像表示装置１００をまとめて冷却を行う構成とする。なお、各映像表示装置１００は、半導体光源２０（光源装置２）の冷却機構を有さない。
【００６６】
この構成は、マルチ画面表示装置Ｊの冷却の構成よりも、冷却のためのポンプおよびファンの数を減らすことができる。これにより、本実施の形態では、マルチ画面表示装置１０００の冷却に使用するポンプの故障確率を下げることができる。また、マルチ画面表示装置１０００における騒音の低減、消費電力の低減もできる。
【００６７】
また、冷却装置３００は、映像表示装置１００の外部に設けられる。そのため、半導体光源２０（光源装置２）の排熱を、映像表示装置１００の外部で行うことができる。したがって、映像表示装置１００自身の放熱を低減することができる。その結果、マルチ画面表示装置１０００における上段の映像表示装置１００の温度上昇を低減することができる。
【００６８】
また、本実施の形態によれば、各映像表示装置１００に冷却液体の冷却用ファンを取り付ける必要がない。そのため、使用するファンの総数も減らすことができる。その結果、騒音を低減することができる。また、マルチ画面表示装置１０００における各映像表示装置１００の各半導体光源２０（光源装置２）の冷却を、１台の冷却装置３００で行うため、省エネおよびコスト削減にも効果がある。
【００６９】
複数の映像表示装置の半導体光源の冷却を、１台の冷却装置３００で行う構成としたことで、当該冷却装置３００へのアクセスが容易となり保守の手間を削減することができる。また、半導体光源２０（光源装置２）の温度制御もまとめて行うことができ、従来のように、映像表示装置毎に温度制御を行っていた時より容易となる。
【００７０】
なお、本実施の形態では、１台の冷却装置３００を利用する構成としたがこれに限定されない。マルチ画面表示装置１０００を構成する映像表示装置の数より少ない数（１以上の整数）の冷却装置３００を利用する構成としてもよい。
【００７１】
なお、本実施の形態における冷却装置３００は、最大で、４台の映像表示装置１００を冷却する能力を持っている。マルチ画面表示装置１０００を構成する映像表示装置１００の数が変わると、１台の冷却装置３００につながる映像表示装置１００の数は変動する。そこで、冷却装置３００につながる映像表示装置１００の数に応じて、冷却装置３００の冷却能力を変更するようにしてもよい。これにより、冷却に要する消費電力および騒音の低減を行うことができる。
【００７２】
（実施の形態１の変形例１）
実施の形態１では、各映像表示装置１００の半導体光源２０のみを冷却していた。本実施の形態の変形例１では、半導体光源２０に加え、ライトバルブ３も同時に冷却を行う。
【００７３】
図７は、実施の形態１の変形例１に係るマルチ画面表示装置１０００Ａの構成を示す図である。
【００７４】
図７に示すように、マルチ画面表示装置１０００Ａは、映像表示装置１００Ａ−１，１００Ａ−２，１００Ａ−３，１００Ａ−４を含む。映像表示装置１００Ａ−１，１００Ａ−２，１００Ａ−３，１００Ａ−４の各々は、同一の構成を有する。
【００７５】
映像表示装置１００Ａ−１，１００Ａ−２，１００Ａ−３，１００Ａ−４は、それぞれ、図２に示される画面１０−１，１０−２，１０−３，１０−４を含む。以下においては、映像表示装置１００Ａ−１，１００Ａ−２，１００Ａ−３，１００Ａ−４の各々を、単に、映像表示装置１００Ａとも表記する。
【００７６】
マルチ画面表示装置１０００Ａは、マルチ画面表示装置１０００と同様に、マルチ画面１０Ａを含む。
【００７７】
図８は、マルチ画面表示装置１０００Ａに冷却装置３００が取り付けられた状態を模式的に示す図である。
【００７８】
図８に示すように、映像表示装置１００Ａ−１，１００Ａ−２，１００Ａ−３，１００Ａ−４は、それぞれ、投写部１１Ａ−１，１１Ａ−２，１１Ａ−３，１１Ａ−４を備える。以下においては、投写部１１Ａ−１，１１Ａ−２，１１Ａ−３，１１Ａ−４の各々を、単に、投写部１１Ａとも表記する。
【００７９】
投写部１１Ａは、投写部１１と同様な機能を有する。
【００８０】
なお、冷却装置３００と各投写部１１Ａとの接続状態は、図３の冷却装置３００と各投写部１１との接続状態と同様なので詳細な説明は繰り返さない。
【００８１】
図９は、実施の形態１の変形例１に係る映像表示装置１００Ａの構成を示す図である。映像表示装置１００Ａは、図５の映像表示装置１００と比較して、投写部１１の代わりに投写部１１Ａを備える点が異なる。映像表示装置１００Ａのそれ以外の構成は、映像表示装置１００と同様なので詳細な説明は繰り返さない。
【００８２】
投写部１１Ａは、図５の投写部１１と比較して、さらに、受熱ブロック３５を含む点が異なる。投写部１１Ａのそれ以外の構成は、投写部１１と同様なので詳細な説明は繰り返さない。
【００８３】
受熱ブロック３５は、熱を伝えるための熱伝導体である。受熱ブロック３５は、ライトバルブ３の背面に熱的に接続される。また、受熱ブロック３５の内部に、１本の管１２が熱的に接続される。以上の構成より、１台の冷却装置３００は、さらに、複数の映像表示装置１００Ａが、それぞれ備える複数のライトバルブ３に熱的に接続される。
【００８４】
なお、１本の管１２は、受熱ブロック３５および熱交換ジャケット３０ａ，ｂ，ｃと熱的に接続される。
【００８５】
以上の構成の映像表示装置１００Ａでは、まず、管１２により、冷却装置３００から送られた冷却液体は、受熱ブロック３５の内部を通る。これにより、受熱ブロック３５に接続されるライトバルブ３と熱交換が行われ、ライトバルブ３の冷却が行われる。
【００８６】
そして、実施の形態１と同様、管１２により、熱交換ジャケット３０ａ，ｂ，ｃの順に、冷却液体が、熱交換ジャケット３０ａ，ｂ，ｃの内部を通る。これにより、各熱交換ジャケット３０に対応する半導体光源２０と熱交換が行われ、半導体光源２０（光源装置２）の冷却が行われる。そして、冷却液体は、再び冷却装置３００へ戻る。
【００８７】
以上説明したように、実施の形態１の変形例１の構成によれば、冷却装置３００は、複数の半導体光源２０（光源装置２）に加え、さらに、複数のライトバルブ３に熱的に接続され、かつ、複数のライトバルブ３を冷却する。これにより、複数の半導体光源２０（光源装置２）に加え、さらに、複数のライトバルブ３も同時に冷却することができる。また、実施の形態１の変形例１では、実施の形態１と同様な効果を奏する。すなわち、マルチ画面表示装置１０００Ａの冷却のためのコストを低減することができる。
【００８８】
以上の実施の形態１の変形例１の構成は、従来のように各映像表示装置において半導体光源およびライトバルブの冷却構造をもつ構成より、ポンプおよび冷却ファンの数を減らすことができる。その結果、マルチ画面表示装置１０００Ａにおける、ポンプの故障確率を下げることができる。
【００８９】
また、冷却ファンの数が減ったことにより、マルチ画面表示装置１０００Ａにおける騒音を低減することができる。
【００９０】
また、本実施の形態１の変形例１では、各映像表示装置１００Ａから、半導体光源２０（光源装置２）およびライトバルブ３の排熱を、外部にある冷却装置３００へと送る構成である。この構成により、映像表示装置１００Ａの発熱量を低減することができる。その結果、マルチ画面表示装置１０００Ａにおける他の映像表示装置の温度上昇を低減することができる。
【００９１】
（実施の形態１の変形例２）
実施の形態１では、マルチ画面表示装置の冷却のために、１台の冷却装置を使用していた。本実施の形態の変形例２では、複数の冷却装置を使用した場合の構成を説明する。本実施の形態の変形例２におけるマルチ画面表示装置は、実施の形態１のマルチ画面表示装置１０００である。
【００９２】
図１０は、マルチ画面表示装置１０００に冷却装置３００，３００ａが取り付けられた状態を模式的に示す図である。すなわち、本実施の形態の変形例２に係るマルチ画面表示装置１０００は、複数の冷却装置を利用する。
【００９３】
マルチ画面表示装置１０００における各映像表示装置１００の投写部１１と、冷却装置３００との接続状態は、図３と同様なので詳細な説明は繰り返さない。
【００９４】
本実施の形態では、冷却装置３００と接続される２つの分岐管１３に、さらに、冷却装置３００ａが接続される。すなわち、冷却装置３００，３００ａの各々は、複数の映像表示装置１００が、それぞれ備える複数の半導体光源２０（投写部１１内の光源装置２）に熱的に接続され、かつ、複数の半導体光源２０（光源装置２）を冷却する。冷却装置３００ａは、冷却装置３００と同じ機能および構成を有する。
【００９５】
以上の構成における冷却装置の運転方法は次の様になる。一つ目の運転方法では、通常、冷却装置３００が稼働し、各映像表示装置１００の半導体光源２０（投写部１１内の光源装置２）の冷却を行う。冷却装置３００が故障した場合、冷却装置３００ａを稼動させ、冷却装置３００ａに冷却のための動作を行わせる。すなわち、冷却装置３００ａは、冷却装置３００の故障時等に使用される予備の装置として利用する。
【００９６】
二つ目の運転方法は、定期的に、冷却を行う冷却装置を切り替えて運転する方法である。運転中に一台が故障した場合は、故障していない冷却装置のみで冷却を行う。
【００９７】
このように、冷却装置を複数台持つことで、一つの冷却装置が故障しても、マルチ画面表示装置１０００の冷却が停止されることを防ぐことができる。
【００９８】
本実施の形態の変形例２では、４台の映像表示装置に対し、２台の冷却装置を用いる構成としたが、これに限定されず、３台以上の冷却装置を用いてもよい。
【００９９】
以上説明したように、実施の形態１の変形例２では、複数の冷却装置の各々は、複数の映像表示装置１００が、それぞれ備える複数の半導体光源２０（光源装置２）に熱的に接続される。これにより、一つの冷却装置が故障しても、マルチ画面表示装置１０００の冷却が停止されることを防ぐことができる。
【０１００】
なお、本実施の形態の変形例２の構成は、実施の形態１の変形例１のマルチ画面表示装置１０００Ａにも適用できる。すなわち、図８において、冷却装置３００と接続される２つの分岐管１３に、さらに、冷却装置３００ａを接続する構成としてもよい。
【０１０１】
なお、本発明は、その発明の範囲内において、実施の形態、実施の形態の変形例を自由に組み合わせたり、各実施の形態、実施の形態の変形例を適宜、変形、省略することが可能である。
【産業上の利用可能性】
【０１０２】
本発明は、冷却のためのコストを低減したマルチ画面表示装置として、利用することができる。
【符号の説明】
【０１０３】
２  光源装置、３  ライトバルブ、１１，１１−１，１１−２，１１−３，１１−４，１１Ａ，１１Ａ−１，１１Ａ−２，１１Ａ−３，１１Ａ−４  投写部、１２  管、１３  分岐管、２０ａ，２０ｂ，２０ｃ  半導体光源、１００，１００−１，１００−２，１００−３，１００−４，１００Ａ，１００Ａ−１，１００Ａ−２，１００Ａ−３，１００Ａ−４  映像表示装置、３００，３００ａ  冷却装置、１０００，１０００Ａ  マルチ画面表示装置。
【図１】
2013167774.tif 000003
【図２】
2013167774.tif 000004
【図３】
2013167774.tif 000005
【図４】
2013167774.tif 000006
【図５】
2013167774.tif 000007
【図６】
2013167774.tif 000008
【図７】
2013167774.tif 000009
【図８】
2013167774.tif 000010
【図９】
2013167774.tif 000011
【図１０】
2013167774.tif 000012